【手続補正書】
【提出日】平成17年6月16日(2005.6.16)
【手続補正１】
【補正対象書類名】明細書
【補正対象項目名】特許請求の範囲
【補正方法】変更
【補正の内容】
【特許請求の範囲】
【請求項１】
機械的エネルギ源と、前記機械的エネルギ源により輪列を介し  て駆動され電気的エネルギを供給する発電機と、前記輪列に結合された指針と、前記電気的エネルギにより駆動されて前記発電機の回転周期を制御する回転制御手段とを備える電子制御式機械時計において、
前記回転制御手段は、
時間標準源からの信号に基づいて基準信号を発生する基準信号発生手段と、
前記発電機の回転周期を検出しその回転周期に対応した回転検出信号を出力する回転検出手段と、
前記基準信号発生手段からの基準信号および前記回転検出手段からの回転検出信号のうちの一方をアップカウント信号とし他方をダウンカウント信号として入力し、そのカウンタ値が予め設定された設定カウント値に対してプラス側およびプラス側以外のうちの一方であった場合にはその一方側で複数のカウントが可能な複数カウント値範囲を有し、且つ前記カウンタ値が前記他方であった場合にも複数のカウントが可能な複数カウント値範囲を有し複数ビットで構成されるアップダウンカウンタと、
前記アップダウンカウンタの前記一方側でカウントされている場合は、前記他方側のカウント値に達するまで前記発電機にブレーキを掛け、前記他方側でカウントされている場合は前記発電機にブレーキを掛けない制御を行う制動制御手段と、
前記発電機からの電気エネルギが最初に供給された時は、その時点から一定期間は前記アップダウンカウンタのカウント値を前記他方側に設定する起動設定手段、
を有することを特徴とする電子制御機械時計。
【請求項２】
機械的エネルギ源と、前記機械的エネルギ源により輪列を介し て駆動され電気的エネルギを供給する発電機と、前記輪列に結合された指針と、前記電気的エネルギにより駆動されて前記発電機の回転周期を制御する回転制御手段とを備える電子制御式機械時計において、
前記回転制御手段は、
時間標準源からの信号に基づいて基準信号を発生する基準信号発生手段と、
前記発電機の回転周期を検出しその回転周期に対応した回転検出信号を出力する回転検出手段と、
前記基準信号発生手段からの基準信号および前記回転検出手段からの回転検出信号のうちの一方をアップカウント信号とし他方をダウンカウント信号として入力し、そのカウンタ値が予め設定された設定カウント値に対してプラス側およびプラス側以外のうちの一方であった場合にはその一方側で複数のカウントが可能な複数カウント値範囲を有し、且つ前記カウンタ値が前記他方であった場合にも複数のカウントが可能な複数カウント値範囲を有し複数ビットで構成されるアップダウンカウンタと、
前記アップダウンカウンタが前記一方側でカウントされている場合は、前記他方側のカウント値に達するまで前記発電機にブレーキを掛け、前記他方側でカウントされている場合は前記発電機にブレーキを掛けない制御を行う制動制御手段と、
前記アップダウンカウンタのカウンタ値が最大値または最小値になった場合には、前記アップカウント信号またはダウンカウント信号の入力を禁止する手段と、
を有することを特徴とする電子制御機械時計。
【請求項３】
請求項１〜２のいずれかに記載の電子制御機械時計において、前記アップダウンカウンタは、複数のカウンタ値の中でブレーキを掛ける制御が行われるカウンタ値の範囲が、ブレーキを掛けないカウンタ値の範囲よりも狭くされていることを特徴とする電子制御機械時計。
【請求項４】
機械的エネルギ源と、前記機械的エネルギ源により輪列を介し  て駆動され電気的エネルギを供給する発電機と、前記輪列に結合された指針と、前記電気的エネルギにより駆動されて前記発電機の回転周期を制御する回転制御手段とを備え、前記回転制御手段はアップダウンカウンタを有する電子制御式機械時計の制御方法において、
時間標準源からの信号に基づいて発生する基準信号および前記発電機の回転周期を検出してその回転周期に対応した回転検出信号の一方をアップカウント信号とし他方をダウンカウント信号として求め、
前記アップカウント信号と前記ダウンカウント信号を前記アップダウンカウンタに入力して得られるカウンタ値が予め設定された設定カウント値に対してプラス側およびプラス側以外のうちの一方であった場合にはその一方側で複数のカウント値をカウントし、且つ前記カウンタ値が前記他方側であった場合にはその他方側で複数のカウント値をカウントし、
前記カウント値が前記一方側でカウントされている場合は前記他方側のカウント値に達するまで前記発電機にブレーキを掛け、前記他方側でカウントされている場合は前記発電機にブレーキを掛けない制御を行い、
前記発電機からの電気エネルギが最初に供給された時は、その時点から一定期間は前記アップダウンカウンタのカウント値を前記他方側に設定する
ことを特徴とする電子制御機械時計の制御方法。
【請求項５】
機械的エネルギ源と、前記機械的エネルギ源により輪列を介し  て駆動され電気的エネルギを供給する発電機と、前記輪列に結合された指針と、前記電気的エネルギにより駆動されて前記発電機の回転周期を制御する回転制御手段とを備え、前記回転制御手段はアップダウンカウンタを有する電子制御式機械時計の制御方法において、
時間標準源からの信号に基づいて発生する基準信号および前記発電機の回転周期を検出してその回転周期に対応した回転検出信号の一方をアップカウント信号とし他方をダウンカウント信号として求め、
前記アップカウント信号と前記ダウンカウント信号を前記アップダウンカウンタに入力して得られるカウンタ値が予め設定された設定カウント値に対してプラス側およびプラス側以外のうちの一方であった場合にはその一方側で複数のカウント値をカウントし、且つ前記カウンタ値が前記他方側であった場合にはその他方側で複数のカウント値をカウントし、
前記カウント値が前記一方側でカウントされている場合は前記他方側のカウント値に達するまで前記発電機にブレーキを掛け、前記他方側でカウントされている場合は前記発電機にブレーキを掛けない制御を行い、
前記カウンタ値が予め設定された最大値または最小値になった場合には、前記アップカウント信号またはダウンカウント信号の前記アップダウンカウンタへの入力を禁止する、
ことを特徴とする電子制御機械時計の制御方法。
【手続補正２】
【補正対象書類名】明細書
【補正対象項目名】０００９
【補正方法】変更
【補正の内容】
【０００９】
【課題を解決するための手段】
本発明の電子制御式機械時計は、機械的エネルギ源と、前記機械的エネルギ源により輪列を介して駆動され電気的エネルギを供給する発電機と、前記輪列に結合された指針と、前記電気的エネルギにより駆動されて前記発電機の回転周期を制御する回転制御手段とを備える電子制御式機械時計において、前記回転制御手段は、時間標準源からの信号に基づいて基準信号を発生する基準信号発生手段と、前記発電機の回転周期を検出しその回転周期に対応した回転検出信号を出力する回転検出手段と、前記基準信号発生手段からの基準信号および前記回転検出手段からの回転検出信号のうちの一方をアップカウント信号とし他方をダウンカウント信号として入力し、そのカウンタ値が予め設定された設定カウント値に対してプラス側およびプラス側以外のうちの一方であった場合にはその一方側で複数のカウントが可能な複数カウント値範囲を有し、且つ前記カウンタ値が前記他方であった場合にも複数のカウントが可能な複数カウント値範囲を有し複数ビットで構成されるアップダウンカウンタと、前記アップダウンカウンタの前記一方側でカウントされている場合は、前記他方側のカウント値に達するまで前記発電機にブレーキを掛け、前記他方側でカウントされている場合は前記発電機にブレーキを掛けない制御を行う制動制御手段と、前記発電機からの電気エネルギが最初に供給された時は、その時点から一定期間は前記アップダウンカウンタのカウント値を前記他方側に設定する起動設定手段、を有することを特徴とする。
【手続補正３】
【補正対象書類名】明細書
【補正対象項目名】００１１
【補正方法】変更
【補正の内容】
【００１１】
この際、本発明は、２ビット以上のアップダウンカウンタを用いて多段階の値をカウント保持できるようにしているので、単に遅れか進みの判定だけでなく、設定カウント値に対する遅れ量や進み量の累積量（複数保持）を記憶することができ、その結果累積された誤差分を補正することができる。
さらに本発明は、発電機からの電気的エネルギを最初に供給された時、つまり発電機の起動時は、前記発電機が所定回転数だけ駆動されるまで制動制御手段を非動作状態にしてブレーキを掛けないことで、発電作用を優先させることができる。これにより、その発電電力によって駆動される回転制御手段を駆動可能な電圧を迅速に得ることができ、制御の安定性を高めることができる。
【手続補正４】
【補正対象書類名】明細書
【補正対象項目名】００１２
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
さらに、本発明の電子制御式機械時計は、機械的エネルギ源と、前記機械的エネルギ源により輪列を介して駆動され電気的エネルギを供給する発電機と、前記輪列に結合された指針と、前記電気的エネルギにより駆動されて前記発電機の回転周期を制御する回転制御手段とを備える電子制御式機械時計において、前記回転制御手段は、時間標準源からの信号に基づいて基準信号を発生する基準信号発生手段と、前記発電機の回転周期を検出しその回転周期に対応した回転検出信号を出力する回転検出手段と、前記基準信号発生手段からの基準信号および前記回転検出手段からの回転検出信号のうちの一方をアップカウント信号とし他方をダウンカウント信号として入力し、そのカウンタ値が予め設定された設定カウント値に対してプラス側およびプラス側以外のうちの一方であった場合にはその一方側で複数のカウントが可能な複数カウント値範囲を有し、且つ前記カウンタ値が前記他方であった場合にも複数のカウントが可能な複数カウント値範囲を有し複数ビットで構成されるアップダウンカウンタと、前記アップダウンカウンタが前記一方側でカウントされている場合は、前記他方側のカウント値に達するまで前記発電機にブレーキを掛け、前記他方側でカウントされている場合は前記発電機にブレーキを掛けない制御を行う制動制御手段と、前記アップダウンカウンタのカウンタ値が最大値または最小値になった場合には、前記アップカウント信号またはダウンカウント信号の入力を禁止する手段と、を有することを特徴とする。
【手続補正１０】
【補正対象書類名】明細書
【補正対象項目名】００１９
【補正方法】変更
【補正の内容】
【００１９】
上記構成により、前述の作用効果に加えて、アップカウント信号やダウンカウント信号が続いても、カウンタ値が最大値の例えば「１５」を越えて最小値の例えば「０」になったり、「０」を越えて「１５」になったりすることを防止でき、累積誤差が非常に大きくなった際に、その誤差が進み方向なのか遅れ方向なのかを正確に把握できて誤制御を確実に無くすことができる。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
さらに、本発明の電子制御式機械時計は、前記アップダウンカウンタは、複数のカウンタ値の中でブレーキを掛ける制御が行われるカウンタ値の範囲が、ブレーキを掛けないカウンタ値の範囲よりも狭くされていることを特徴とする。
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】変更
【補正の内容】
【００２６】
また、本発明の電子制御機械時計の制御方法は、機械的エネルギ源と、前記機械的エネルギ源により輪列を介して駆動され電気的エネルギを供給する発電機と、前記輪列に結合された指針と、前記電気的エネルギにより駆動されて前記発電機の回転周期を制御する回転制御手段とを備え、前記回転制御手段はアップダウンカウンタを有する電子制御式機械時計の制御方法において、時間標準源からの信号に基づいて発生する基準信号および前記発電機の回転周期を検出してその回転周期に対応した回転検出信号の一方をアップカウント信号とし他方をダウンカウント信号として求め、前記アップカウント信号と前記ダウンカウント信号を前記アップダウンカウンタに入力して得られるカウンタ値が予め設定された設定カウント値に対してプラス側およびプラス側以外のうちの一方であった場合にはその一方側で複数のカウント値をカウントし、且つ前記カウンタ値が前記他方側であった場合にはその他方側で複数のカウント値をカウントし、前記カウント値が前記一方側でカウントされている場合は前記他方側のカウント値に達するまで前記発電機にブレーキを掛け、前記他方側でカウントされている場合は前記発電機にブレーキを掛けない制御を行い、前記発電機からの電気エネルギが最初に供給された時は、その時点から一定期間は前記アップダウンカウンタのカウント値を前記他方側に設定することを特徴とする。
【手続補正１８】
【補正対象書類名】明細書
【補正対象項目名】００２７
【補正方法】変更
【補正の内容】
【００２７】
上記構成によれば、前述と同様に、設定カウント値に対する遅れ量や進み量の累積量（複数保持）を記憶することができ、その結果累積された誤差分を補正することができる。しかも、発電機の起動時は、前記発電機が所定回転数だけ駆動されるまで制動制御手段を非動作状態にしてブレーキを掛けないことで、発電作用を優先させることができる。これにより、その発電電力によって駆動される回転制御手段を駆動可能な電圧を迅速に得ることができ、制御の安定性を高めることができる。
【手続補正１９】
【補正対象書類名】明細書
【補正対象項目名】００２８
【補正方法】変更
【補正の内容】
【００２８】
また、本発明の電子制御機械時計の制御方法は、機械的エネルギ源と、前記機械的エネルギ源により輪列を介して駆動され電気的エネルギを供給する発電機と、前記輪列に結合された指針と、前記電気的エネルギにより駆動されて前記発電機の回転周期を制御する回転制御手段とを備え、前記回転制御手段はアップダウンカウンタを有する電子制御式機械時計の制御方法において、時間標準源からの信号に基づいて発生する基準信号および前記発電機の回転周期を検出してその回転周期に対応した回転検出信号の一方をアップカウント信号とし他方をダウンカウント信号として求め、前記アップカウント信号と前記ダウンカウント信号を前記アップダウンカウンタに入力して得られるカウンタ値が予め設定された設定カウント値に対してプラス側およびプラス側以外のうちの一方であった場合にはその一方側で複数のカウント値をカウントし、且つ前記カウンタ値が前記他方側であった場合にはその他方側で複数のカウント値をカウントし、前記カウント値が前記一方側でカウントされている場合は前記他方側のカウント値に達するまで前記発電機にブレーキを掛け、前記他方側でカウントされている場合は前記発電機にブレーキを掛けない制御を行い、前記カウンタ値が予め設定された最大値または最小値になった場合には、前記アップカウント信号またはダウンカウント信号の前記アップダウンカウンタへの入力を禁止する、ことを特徴とする。
【手続補正２０】
【補正対象書類名】明細書
【補正対象項目名】００２９
【補正方法】変更
【補正の内容】
【００２９】
上記構成によれば、前述と同様に、アップカウント信号やダウンカウント信号が続いても、カウンタ値が最大値の例えば「１５」を越えて最小値の例えば「０」になったり、「０」を越えて「１５」になったりすることを防止でき、累積誤差が非常に大きくなった際に、その誤差が進み方向なのか遅れ方向なのかを正確に把握できて誤制御を確実に無くすことができる。
【手続補正２１】
【補正対象書類名】明細書
【補正対象項目名】００３０
【補正方法】削除
【補正の内容】